(57)【要約】【課題】  折り畳み型携帯電話機が折り畳み状態であるときに、目覚まし機能を利用して鳴動している目覚まし音を止める場合、サイドキーを押下することとなるが、サイドキーが小さくて操作しづらい。【解決手段】  電話制御部８は時計部１４の時刻が設定時刻と一致すると、目覚まし音をスピーカ２から鳴動させ、かつ、アンテナ６、７で待ち受け時に受信される基地局からの信号をベースバンド処理部９で処理した受信信号レベルをモニタしてメモリ１２に記憶する。その後、電話制御部８は折り畳み型携帯電話機１が閉状態であると判定したときには、再びアンテナ６、７で受信される基地局からの信号をベースバンド処理部９で処理した受信信号レベルをモニタし、目覚まし音鳴動開始時点のメモリ１２に記憶されている受信信号レベルよりも所定の閾値より低下しているときには、目覚まし音の鳴動を停止する。【選択図】            図１
2006194820.tif 000002
【特許請求の範囲】
【請求項１】
計時中の時刻が予め任意に設定された時刻に一致した時に、予め記憶されている呼び出し音を目覚まし音として鳴動させる目覚まし機能を備えた携帯通信端末において、
基地局から定期的に送信されている信号を受信する受信手段と、
前記目覚まし音の鳴動開始時点で前記受信手段により受信された第１の受信信号レベルを検出して記憶する第１の検出手段と、
前記目覚まし音の鳴動開始後に前記受信手段により受信された第２の受信信号レベルを検出する第２の検出手段と、
前記第２の受信信号レベルの前記第１の受信信号レベルに対する低下量が予め定めた閾値より大であるか否か比較する比較手段と、
前記比較手段により、前記第２の受信信号レベルの前記第１の受信信号レベルに対する低下量が予め定めた閾値より大である比較結果が得られたときは、前記目覚まし音の鳴動を停止する鳴動停止手段と
を有することを特徴とする携帯通信端末。
【請求項２】
前記比較手段により、前記第２の受信信号レベルの前記第１の受信信号レベルに対する低下量が予め定めた閾値より大である比較結果が得られないときには、該第２の受信信号レベルの前記第１の受信信号レベルに対する低下量が予め定めた閾値より大である比較結果が得られるまで、間欠的に前記第２の検出手段による前記第２の受信信号レベルの検出動作を繰り返す制御手段を更に有することを特徴とする請求項１記載の携帯通信端末。
【請求項３】
目覚まし音の鳴動を停止したことを通知するためのプリセット音声データを予め記憶している記憶手段と、前記鳴動停止手段により前記目覚まし音の鳴動を停止する時には、前記記憶手段から前記プリセット音声データを読み出して音声として発音させる発音手段とを更に有することを特徴とする請求項１又は２記載の携帯通信端末。
【請求項４】
前記受信手段は、複数のアンテナのうち選択した一のアンテナで、基地局から定期的に送信されている信号を受信する手段であり、前記複数のアンテナを順次切り替えて前記受信手段により受信させると共に、前記第１の検出手段により各アンテナ毎の前記第１の受信信号レベルを検出させ、前記第２の検出手段により各アンテナ毎の前記第２の受信信号レベルを検出させるアンテナ切り替え手段を有し、前記鳴動停止手段は前記比較手段により、前記複数のアンテナのうちのどれか一のアンテナの前記第２の受信信号レベルの、同じアンテナの前記第１の受信信号レベルに対する低下量が、予め定めた閾値より大である比較結果が得られたときは、前記目覚まし音の鳴動を停止することを特徴とする請求項１記載の携帯通信端末。
【請求項５】
少なくとも表示部が形成された上側筐体部と、少なくとも各種情報入力のための複数のキーからなる入力部が形成された下側筐体部とが回動又は移動自在に結合されており、前記上側筐体部と前記下側筐体部とが互いに対向密接して前記上側筐体部により前記下側筐体部の前記入力部を覆う閉状態と、前記上側筐体部と前記下側筐体部とが互いに離間して前記下側筐体部の前記入力部を露出させる開状態のいずれかの状態とされて用いられると共に、計時中の時刻が予め任意に設定された時刻に一致した時に、予め記憶されている呼び出し音を目覚まし音として鳴動させる目覚まし機能を備えた開閉型携帯通信端末において、
基地局から定期的に送信されている信号を受信する受信手段と、
前記開状態と前記閉状態のどちらであるかを検出して開閉検出信号を出力する開閉検出手段と、
前記目覚まし音の鳴動開始時点で前記受信手段により受信された第１の受信信号レベルを検出して記憶する第１の検出手段と、
前記開閉検出信号が閉状態を示しているときに、前記目覚まし音の鳴動開始後の前記受信手段により受信された第２の受信信号レベルを検出する第２の検出手段と、
前記第２の受信信号レベルの前記第１の受信信号レベルに対する低下量が予め定めた閾値より大であるか否か比較する比較手段と、
前記比較手段により、前記第２の受信信号レベルの前記第１の受信信号レベルに対する低下量が予め定めた閾値より大である比較結果が得られたときは、前記目覚まし音の鳴動を停止する鳴動停止手段と
を有することを特徴とする携帯通信端末。
【請求項６】
前記鳴動停止手段は、前記目覚まし音の鳴動開始直後に前記開閉検出信号が開状態を示しているときは、特定のキーが押下されたか否かを判定し、該特定のキーが押下されたことを検出した時に、前記目覚まし音の鳴動を停止することを特徴とする請求項５記載の携帯通信端末。
【請求項７】
前記鳴動停止手段は、前記目覚まし音の鳴動開始直後に前記開閉検出信号が開状態を示しているときは、前記開閉検出信号が閉状態を示す値に切り替わったか否かを判定し、該開閉検出信号が閉状態を示す値に切り替わったことを検出した時に、前記目覚まし音の鳴動を停止することを特徴とする請求項５記載の携帯通信端末。
【請求項８】
前記比較手段により、前記第２の受信信号レベルの前記第１の受信信号レベルに対する低下量が予め定めた閾値より大である比較結果が得られないときには、該第２の受信信号レベルの前記第１の受信信号レベルに対する低下量が予め定めた閾値より大である比較結果が得られるまで、間欠的に前記第２の検出手段による前記第２の受信信号レベルの検出動作を繰り返す制御手段を更に有することを特徴とする請求項５記載の携帯通信端末。
【請求項９】
目覚まし音の鳴動を停止したことを通知するためのプリセット音声データを予め記憶している記憶手段と、前記鳴動停止手段により前記目覚まし音の鳴動を停止する時には、前記記憶手段から前記プリセット音声データを読み出して音声として発音させる発音手段とを更に有することを特徴とする請求項５乃至７のうちいずれか一項記載の携帯通信端末。
【請求項１０】
前記受信手段は、複数のアンテナのうち選択した一のアンテナで、基地局から定期的に送信されている信号を受信する手段であり、前記複数のアンテナを順次切り替えて前記受信手段により受信させると共に、前記第１の検出手段により各アンテナ毎の前記第１の受信信号レベルを検出させ、前記第２の検出手段により各アンテナ毎の前記第２の受信信号レベルを検出させるアンテナ切り替え手段を有し、前記鳴動停止手段は前記比較手段により、前記複数のアンテナのうちのどれか一のアンテナの前記第２の受信信号レベルの、同じアンテナの前記第１の受信信号レベルに対する低下量が、予め定めた閾値より大である比較結果が得られたときは、前記目覚まし音の鳴動を停止することを特徴とする請求項５記載の携帯通信端末。
【発明の詳細な説明】
【技術分野】
【０００１】
本発明は携帯通信端末に係り、特に目覚まし機能を備えた折り畳み型携帯電話機等の携帯通信端末に関する。
【背景技術】
【０００２】
近年、その利便性から急速に普及している携帯電話機の持つ機能の一つとして、目覚まし機能がある。この目覚まし機能は、携帯電話機の所有者が予め一つ若しくは幾つかの任意の時刻を設定しておき、その設定時刻のいずれかと携帯電話機に内蔵されている時計の時刻とが一致したときに、設定された呼び出し音やメロディもしくはインターネットからダウンロードしたメロディ等を鳴動して所有者に設定時刻になったことを報知する機能である。この目覚まし機能は主として、起床時等に、目覚まし時計の代わりとして使用されている。上記の目覚ましとして鳴動する呼び出し音（以下、目覚まし音）を止める場合、携帯電話機のキーを操作することで行う。
【０００３】
ところで、携帯電話機が、内側面に少なくとも表示部とスピーカとが設けられた上側筐体部と、内側面に少なくとも各種操作のための複数のキーからなる操作部とマイクとが設けられた下側筐体部とからなり、それら上側筐体部と下側筐体部の各一側端部同士がヒンジ部で回動自在に結合されており、不使用時は上側筐体部と下側筐体部の両内側面同士が対向密接する閉状態（折り畳み状態）とされ、操作部の使用時は上側筐体部と下側筐体部の両内側面が所定角度開いた開状態とされる折り畳み型携帯電話機である場合は、折り畳み状態で操作できるキーが、上側筐体部又は下側筐体部の側面に設けられたサイドキーに限られることが多い。そして、上記の目覚まし音を止める場合は、折り畳み型携帯電話機が折り畳み状態にあるときには、サイドキーを押下することになる。
【０００４】
また、携帯電話機のアラーム機能を目覚まし時計として使用する場合、アラーム時刻ではマナーモード又は消音モードであっても、アラーム時刻になった時には強制的にアラーム音を鳴動させる手段を設けた携帯電話機も知られている（例えば、特許文献１参照）。
【０００５】
なお、携帯電話機ではないが、意識を確実に目覚めさせる目覚まし時計が知られている（例えば、特許文献２参照）。この特許文献１記載の目覚まし時計では、アラームの解除操作入力が、通知した解除方法と一致した場合に、アラーム解除指示をオンにする。アラーム解除操作の例としては、色を認識しないと押下することができない色表示ボタンの押下、音を認識しないと押下することができないボタンの押下などがある。
【０００６】
【特許文献１】特開２００３−６６１７２号公報（第２頁）
【特許文献２】特開２００４−２２６２９０号公報（第８頁、第１０頁、図３）
【発明の開示】
【発明が解決しようとする課題】
【０００７】
しかしながら、前記折り畳み型携帯電話機におけるサイドキーは操作部のメインのキーに比べて小さく、また上側筐体部又は下側筐体部の側面に設けられているため、押しづらく、操作しづらい。従って、折り畳み型携帯電話機が折り畳み状態であるときに、目覚まし機能を利用して鳴動している目覚まし音を止める場合、サイドキーを押下することとなるが、操作しづらく、加えて通常は目覚めて直後のまだ覚醒していない状態で操作するため、より一層押しづらさを感じる。まして、折り畳み状態にある携帯電話機を開状態にして、操作部の所定のボタンの操作をするのはとても煩わしい動作である。
【０００８】
また、特許文献１記載の携帯電話機や特許文献２記載の目覚まし時計では、目覚まし音の鳴動停止（アラーム解除）を、折畳み型携帯電話機のサイドキーを押下しなくても閉状態のままで行えることについては全く言及されていない。
【０００９】
本発明は以上の点に鑑みなされたもので、キー操作をすること無く、目覚まし音の鳴動を簡単に停止し得る携帯通信端末を提供することを目的とする。
【００１０】
また、本発明の他の目的は、折り畳み型携帯通信端末であっても、サイドキーの押下をすることなく、簡単に目覚まし音の鳴動を停止し得る携帯通信端末を提供することにある。
【課題を解決するための手段】
【００１１】
上記の目的を達成するため、第１の発明は、計時中の時刻が予め任意に設定された時刻に一致した時に、予め記憶されている呼び出し音を目覚まし音として鳴動させる目覚まし機能を備えた携帯通信端末において、基地局から定期的に送信されている信号を受信する受信手段と、目覚まし音の鳴動開始時点で受信手段により受信された第１の受信信号レベルを検出して記憶する第１の検出手段と、目覚まし音の鳴動開始後に受信手段により受信された第２の受信信号レベルを検出する第２の検出手段と、第２の受信信号レベルの第１の受信信号レベルに対する低下量が予め定めた閾値より大であるか否か比較する比較手段と、比較手段により、第２の受信信号レベルの第１の受信信号レベルに対する低下量が予め定めた閾値より大である比較結果が得られたときは、目覚まし音の鳴動を停止する鳴動停止手段とを有することを特徴とする。
【００１２】
この発明では、目覚まし音の鳴動開始時点における第１の受信信号レベルと、目覚まし音の鳴動開始後のある時点での第２の受信信号レベルとを比較し、第２の受信信号レベルが第１の受信信号レベルに対して予め定めた閾値より低下しているときには、目覚まし音の鳴動を停止するようにしたため、目覚まし音の鳴動により使用者が受信手段のアンテナを掌で覆うことにより目覚まし音の鳴動を停止することができる。
【００１３】
また、上記の目的を達成するため、第２の発明は、第１の発明における比較手段により、第２の受信信号レベルの第１の受信信号レベルに対する低下量が予め定めた閾値より大である比較結果が得られないときには、第２の受信信号レベルの第１の受信信号レベルに対する低下量が予め定めた閾値より大である比較結果が得られるまで、間欠的に第２の検出手段による第２の受信信号レベルの検出動作を繰り返す制御手段を更に有することを特徴とする。この発明では、目覚まし音の鳴動開始後、比較的長い時間経過して第２の受信信号レベルが第１の受信信号レベルに対して予め定めた閾値より低下した場合でも、覚まし音の鳴動を停止することができる。
【００１４】
また、上記の目的を達成するため、第３の発明は、第１又は第２の発明において目覚まし音の鳴動を停止したことを通知するためのプリセット音声データを予め記憶している記憶手段と、鳴動停止手段により目覚まし音の鳴動を停止する時には、記憶手段からプリセット音声データを読み出して音声として発音させる発音手段とを更に有することを特徴とする。この発明では、音声により目覚まし音の鳴動停止を報知することができる。
【００１５】
また、上記の目的を達成するため、第４の発明は、第１の発明における受信手段を、複数のアンテナのうち選択した一のアンテナで、基地局から定期的に送信されている信号を受信する手段とし、複数のアンテナを順次切り替えて受信手段により受信させると共に、第１の検出手段により各アンテナ毎の第１の受信信号レベルを検出させ、第２の検出手段により各アンテナ毎の第２の受信信号レベルを検出させるアンテナ切り替え手段を有し、鳴動停止手段は比較手段により、複数のアンテナのうちのどれか一のアンテナの第２の受信信号レベルの、同じアンテナの第１の受信信号レベルに対する低下量が、予め定めた閾値より大である比較結果が得られたときは、目覚まし音の鳴動を停止することを特徴とする。
【００１６】
この発明では、複数のアンテナのうちのどれか一のアンテナの第２の受信信号レベルの、同じアンテナの第１の受信信号レベルに対する低下量が、予め定めた閾値より大である比較結果が得られたときは、目覚まし音の鳴動を停止するようにしたため、アンテナが一つの場合に比べて、より確実に目覚まし音の鳴動を停止することができる。
【００１７】
また、上記の目的を達成するため、第５の発明は、少なくとも表示部が形成された上側筐体部と、少なくとも各種情報入力のための複数のキーからなる入力部が形成された下側筐体部とが回動又は移動自在に結合されており、上側筐体部と下側筐体部とが互いに対向密接して上側筐体部により下側筐体部の入力部を覆う閉状態と、上側筐体部と下側筐体部とが互いに離間して下側筐体部の入力部を露出させる開状態のいずれかの状態とされて用いられると共に、計時中の時刻が予め任意に設定された時刻に一致した時に、予め記憶されている呼び出し音を目覚まし音として鳴動させる目覚まし機能を備えた開閉型携帯通信端末において、基地局から定期的に送信されている信号を受信する受信手段と、開状態と閉状態のどちらであるかを検出して開閉検出信号を出力する開閉検出手段と、目覚まし音の鳴動開始時点で受信手段により受信された第１の受信信号レベルを検出して記憶する第１の検出手段と、開閉検出信号が閉状態を示しているときに、目覚まし音の鳴動開始後の受信手段により受信された第２の受信信号レベルを検出する第２の検出手段と、第２の受信信号レベルの第１の受信信号レベルに対する低下量が予め定めた閾値より大であるか否か比較する比較手段と、比較手段により、第２の受信信号レベルの第１の受信信号レベルに対する低下量が予め定めた閾値より大である比較結果が得られたときは、目覚まし音の鳴動を停止する鳴動停止手段とを有することを特徴とする。
【００１８】
この発明では、開閉型携帯通信端末が目覚まし音鳴動開始時点で閉状態であるときには、目覚まし音の鳴動開始時点における第１の受信信号レベルと、目覚まし音の鳴動開始後のある時点での第２の受信信号レベルとを比較し、第２の受信信号レベルが第１の受信信号レベルに対して予め定めた閾値より低下しているときには、目覚まし音の鳴動を停止するようにしたため、目覚まし音の鳴動により使用者が受信手段のアンテナを掌で覆うことにより目覚まし音の鳴動を停止することができる。
【００１９】
また、上記の目的を達成するため、第６の発明は、第５の発明における鳴動停止手段を、目覚まし音の鳴動開始直後に開閉検出信号が開状態を示しているときは、特定のキーが押下されたか否かを判定し、特定のキーが押下されたことを検出した時に、目覚まし音の鳴動を停止するようにしたことを特徴とする。この発明では、開閉型携帯通信端末が目覚まし音鳴動開始時点で開状態であるときには、特定キーの押下により目覚まし音の鳴動を停止することができる。
【００２０】
また、上記の目的を達成するため、第７の発明は、第５の発明における鳴動停止手段を、目覚まし音の鳴動開始直後に開閉検出信号が開状態を示しているときは、開閉検出信号が閉状態を示す値に切り替わったか否かを判定し、開閉検出信号が閉状態を示す値に切り替わったことを検出した時に、目覚まし音の鳴動を停止するようにしたことを特徴とする。この発明では、開閉型携帯通信端末が目覚まし音鳴動開始時点で開状態であるときには、閉状態とすることにより目覚まし音の鳴動を停止することができる。
【００２１】
また、上記の目的を達成するため、第８の発明は、第５の発明の比較手段により、第２の受信信号レベルの第１の受信信号レベルに対する低下量が予め定めた閾値より大である比較結果が得られないときには、第２の受信信号レベルの第１の受信信号レベルに対する低下量が予め定めた閾値より大である比較結果が得られるまで、間欠的に第２の検出手段による第２の受信信号レベルの検出動作を繰り返す制御手段を更に有することを特徴とする。この発明では、目覚まし音の鳴動開始後、比較的長い時間経過して第２の受信信号レベルが第１の受信信号レベルに対して予め定めた閾値より低下した場合でも、覚まし音の鳴動を停止することができる。
【００２２】
また、上記の目的を達成するため、第９の発明は、第５の発明に、目覚まし音の鳴動を停止したことを通知するためのプリセット音声データを予め記憶している記憶手段と、鳴動停止手段により目覚まし音の鳴動を停止する時には、記憶手段からプリセット音声データを読み出して音声として発音させる発音手段とを更に有することを特徴とする。この発明では、音声により目覚まし音の鳴動停止を報知することができる。
【００２３】
また、上記の目的を達成するため、第１０の発明は、第５の発明における受信手段を、複数のアンテナのうち選択した一のアンテナで、基地局から定期的に送信されている信号を受信する手段とし、複数のアンテナを順次切り替えて受信手段により受信させると共に、第１の検出手段により各アンテナ毎の第１の受信信号レベルを検出させ、第２の検出手段により各アンテナ毎の第２の受信信号レベルを検出させるアンテナ切り替え手段を有し、鳴動停止手段は比較手段により、複数のアンテナのうちのどれか一のアンテナの第２の受信信号レベルの、同じアンテナの第１の受信信号レベルに対する低下量が、予め定めた閾値より大である比較結果が得られたときは、目覚まし音の鳴動を停止する構成としたものである。
【００２４】
この発明では、複数のアンテナのうちのどれか一のアンテナの第２の受信信号レベルの、同じアンテナの第１の受信信号レベルに対する低下量が、予め定めた閾値より大である比較結果が得られたときは、目覚まし音の鳴動を停止するようにしたため、アンテナが一つの場合に比べて、より確実に目覚まし音の鳴動を停止することができる。
【発明の効果】
【００２５】
本発明によれば、目覚まし音の鳴動開始時点における第１の受信信号レベルと、目覚まし音の鳴動開始後のある時点での第２の受信信号レベルとを比較し、第２の受信信号レベルが第１の受信信号レベルに対して予め定めた閾値より低下しているときには、目覚まし音の鳴動を停止することにより、目覚まし音の鳴動により使用者が受信手段のアンテナを掌で覆うことにより目覚まし音の鳴動を停止するようにしたため、押しづらく、操作しづらい所定のキーの操作を行うことなく、簡単に目覚まし音の鳴動を停止させることができる。
【発明を実施するための最良の形態】
【００２６】
図１は本発明になる携帯通信端末の一実施の形態のブロック図、図２（ａ）、（ｂ）及び（ｃ）は本発明になる携帯通信端末の一実施の形態における開状態での外観正面図、開状態での外観背面図、及び閉状態での外観側面図をそれぞれ示す。図１及び図２中、同一構成部分には同一符号を付してある。
【００２７】
本実施の形態の携帯通信端末は、図２（ａ）〜（ｃ）に示すように、内側面に着信音や受話音声や目覚まし音を鳴動するスピーカ２、各種画像を表示する第１表示部３などが設けられた上側筐体部１０１と、内側面に複数のキーからなるキー入力部４、送話音声を収音するマイク５などが設けられた下側筐体部１０２とが、それぞれの一側端部をヒンジ部１０３により回動自在に結合されており、上側筐体部１０１と下側筐体部１０２とがヒンジ部１０３を中心として内側面同士が互いに所定角度開かれた開状態（図２（ａ）、（ｂ））か、内側面同士が互いに密接対向された閉状態（図２（ｃ））とされる折り畳み型携帯電話機１である。
【００２８】
更に、折り畳み型携帯電話機１の下側筐体部１０２の内側面にはホール素子で構成された開閉検出部１３が設けられると共に、外側面（背面）にはバッテリ１５が装着されており、下側筐体部１０２の内部には第１のアンテナ６が内蔵されている。また、上側筐体部１０１の内側面には、閉状態時に開閉検出部１３に対向する位置に磁石１７が配置されており、また外側面には画像表示を行う第２表示部１６が設けられ、更に上側筐体部１０１の内部には第２のアンテナ７が内蔵されている。また、下側筐体部１０２の側面には、図２（ｃ）に示すようにサイドキー１８が設けられている。このサイドキー１８は、キー入力部４の各キーよりもサイズが小さい。本実施の形態では、スピーカ２付近に磁石１７、マイク５付近に磁石１７の磁界を検出するためのホール素子で構成された開閉検出部１３を設けているが、磁石１７と開閉検出部１３の設置位置は逆でもよい。
【００２９】
また、上側筐体部１０１の内部又は下側筐体部１０２の内部には、図１に示す電話制御部８、ベースバンド処理部９、ＲＦ処理部１０、アンテナ切り替え部１１、メモリ１２及び時計部１４が設けられている。電話制御部８はこの実施の形態の折り畳み型携帯電話機１の各部を統括的に制御する。ベースバンド処理部９はマイク５からの送話音声信号が供給され、スピーカ２へ受話音声信号や着信音声信号や目覚まし音の音声信号を供給する。ＲＦ処理部１０は、無線周波数（ＲＦ）帯の受信信号を信号処理し、復調してベースバンド帯の受信ベースバンド信号に変換する。また、送信用ベースバンド信号を変調してＲＦ帯の送信信号に変換し送信する。
【００３０】
ベースバンド処理部９は、受信ベースバンド信号から受信データを取り出し、受信データより音声信号を生成してスピーカ２にて電気−音響変換して音声を鳴動する。また、ベースバンド処理部９は、マイク５から入力された音声を音声−電気変換してベースバンド帯の音声信号を生成する。アンテナ切り替え部１１は、アンテナ６、アンテナ７とＲＦ処理部１０の接続を切り替える。
【００３１】
アンテナ切り替え部１１は、初期状態では、ＲＦ処理部１０をアンテナ６に接続しているが、ベースバンド処理部９で算出される受信信号レベルが、予め定められたスレッショルドＴｈ＿Ｃｈａｎｇｅより低下した場合に、アンテナ７へ切り替える。また、同様に、アンテナ７に接続された状態で、ベースバンド処理部９で算出される受信信号レベルが、上記のスレッショルドＴｈ＿Ｃｈａｎｇｅより低下した場合に、アンテナ６へ切り替える。ただし、このスレッショルドＴｈ＿Ｃｈａｎｇｅを基準とするアンテナ切り替え動作は、通常の通話時又はデータ送受信時に行われるものであって、後述する目覚まし音の鳴動停止処理動作時には行わない。メモリ１２は、折り畳み型携帯電話機の動作、制御に必要なシステムプログラムやデータを記録している。
【００３２】
次に、本実施の形態の動作について図３及び図４と共に説明する。図３は本発明の一実施の形態におけるアンテナ受信信号検出による目覚まし音鳴動開始及び停止処理を示したフローチャートである。まず、目覚まし音を鳴動させる時刻（以下、アラーム設定時刻）を定めるときの操作を説明する。使用者は図１及び図２に示したキー入力部４のキー操作によりアラーム設定時刻を設定する。電話制御部８は、設定されたアラーム設定時刻を図２に示したメモリ１２へ格納する。
【００３３】
この状態において、電話制御部８は、時計部１４の計時中の時刻が、メモリ１２に設定されたアラーム設定時刻に達したかどうか監視する（ステップＳ３１）。時計部１４の時刻がメモリ１２に設定されたアラーム時刻に達すると、目覚まし音の鳴動を開始する（ステップＳ３２）。この鳴動開始時には、電話制御部８は、アラーム音声信号をベースバンド処理部９を通してスピーカ２に供給して鳴動させる。
【００３４】
続いて、電話制御部８は、鳴動開始直後のアンテナ６及びアンテナ７で受信される最寄りの基地局から待ち受け時に定期的に送信されている一定振幅のＲＦ信号（例えば位置登録要求のための信号）を受信し、その受信信号レベルをモニタする（ステップＳ３３）。すなわち、ステップＳ３３ではアンテナ切り替え部１１がアンテナ６により受信したＲＦ信号を選択してＲＦ信号処理部１０を介してベースバンド処理部９に供給し、その受信信号レベルを測定しメモリ１２に記憶する。
【００３５】
続いて、アンテナ切り替え部１１がアンテナ７により受信したＲＦ信号を切り替え選択してＲＦ信号処理部１０を介してベースバンド処理部９に供給し、その受信信号レベルを測定しメモリ１２に記憶する。この目覚まし音鳴動開始直後における、アンテナ６の受信信号レベルをＲＳＳ＿Ｓ６、アンテナ７の受信信号レベルをＲＳＳ＿Ｓ７とする。
【００３６】
次に、電話制御部８は、開閉検出部１３からの信号に基づき、折り畳み型携帯電話機１が開状態であるか閉状態であるかの検出を行う（ステップＳ３４）。すなわち、開閉検出部１３は、上側筐体部１０１と下側筐体部１０２とが閉状態にあるときには、磁石１７と最も近接対向する位置にあるので、磁石１７からの磁界の強度が最大であり、その磁界を検出して閉状態検出信号を発生する。他方、開閉検出部１３は、上側筐体部１０１と下側筐体部１０２とが開状態にあるときには、磁石１７と最も離れた位置にあるので、その磁石１７からの磁界の強度が弱くて検出できず、これにより開状態検出信号を発生する。
【００３７】
電話制御部８は、開閉検出部１３から閉状態検出信号が入力されたときには、閉状態であると認識し、再度、アンテナ６、アンテナ７の受信信号レベルをモニタする（ステップＳ３５）。このときモニタされたアンテナ６の受信信号レベルをＲＳＳ＿６、アンテナ７の受信信号レベルをＲＳＳ＿７とする。続いて、電話制御部８はステップＳ３５でモニタしたアンテナ６の受信信号レベルＲＳＳ＿６の、メモリ１２に一時記憶した鳴動開始直後のアンテナ６の受信信号レベルＲＳＳ＿Ｓ６からの低下量が、（１）式に示すように閾値△ＲＳＳ６より大きいかどうかを判定する（ステップＳ３６）。
【００３８】
△ＲＳＳ６＜ＲＳＳ＿Ｓ６−ＲＳＳ＿６      ・・・（１）
ステップＳ３６の判定により、再度のアンテナ６の受信信号レベルＲＳＳ＿６の低下量が鳴動直後の受信信号レベルＲＳＳ＿Ｓ６より△ＲＳＳ６を超えたとき（すなわち、（１）式を満足した時）には、目覚まし音の鳴動を停止する（ステップＳ３１０）。これは携帯電話機１の使用者が目覚まし音の鳴動により携帯電話機１を手で持ってアンテナ６の部分を掌で覆ったために、アンテナ６の受信電界強度の低下に伴いアンテナ６の受信信号レベルが低下したものと判断したためである。
【００３９】
他方、ステップＳ３６の判定により、再度のアンテナ６の受信信号レベルＲＳＳ＿６の低下量が鳴動直後の受信信号レベルＲＳＳ＿Ｓ６より△ＲＳＳ６以下であるとき（すなわち、（１）式を満足しない時）には、ステップＳ３５でモニタした、もう一方のアンテナ７の再度の受信信号レベルＲＳＳ＿７の、メモリ１２に一時記憶した鳴動開始直後のアンテナ７の受信信号レベルＲＳＳ＿Ｓ７に対する低下量が、（２）式に示すように閾値△ＲＳＳ７より大きいかどうかを判定する（ステップＳ３７）。
【００４０】
△ＲＳＳ７＜ＲＳＳ＿Ｓ７−ＲＳＳ＿７      ・・・（２）
ステップＳ３７の判定により、再度のアンテナ７の受信信号レベルＲＳＳ＿７の低下量が鳴動直後の受信信号レベルＲＳＳ＿Ｓ７より△ＲＳＳ７を超えたとき（すなわち、（２）式を満足する時）には、目覚まし音の鳴動を停止する（ステップＳ３１０）。これは携帯電話機１の使用者が目覚まし音の鳴動により携帯電話機１を手で持ってアンテナ７の部分を掌で覆ったために、アンテナ７の受信電界強度の低下に伴いアンテナ７の受信信号レベルが低下したものと判断したためである。
【００４１】
他方、ステップＳ３７の判定により、再度のアンテナ７の受信信号レベルＲＳＳ＿７の鳴動直後の受信信号レベルＲＳＳ＿Ｓ７に対する低下量が△ＲＳＳ７未満であるとき（すなわち、（２）式を満足しない時）には、ステップＳ３５へ戻り、目覚まし音鳴動を継続すると共に再度アンテナ６及び７の受信信号レベルをモニタする。このようにして、目覚まし音が鳴動されると、携帯電話機１が閉状態のときには、（１）式又は（２）式を満足するまで、ステップＳ３５の受信信号レベルが間欠的にモニタされると共に、目覚まし音の鳴動が継続する。
【００４２】
一方、電話制御部８は、開閉検出部１３から開状態検出信号が入力されたときには、ステップＳ３４で開状態であると認識し、サイドキー１８が押下されたかどうか判定する（ステップＳ３８）。サイドキー１８が押下されたときには、目覚まし音鳴動を停止する（ステップＳ３１０）。他方、サイドキー１８が押下されていないときには、再び閉状態検出信号が入力されたかどうか判定し（ステップＳ３９）、閉状態検出信号が入力されないときには再びステップＳ３８の処理に戻ってサイドキー１８の押下を監視するが、閉状態検出信号が入力されたと判定したときには、目覚まし音の鳴動を停止する（ステップＳ３１０）。すなわち、目覚まし音が鳴動した時に、折り畳み型携帯電話機１が開状態であるときには、閉状態にするという簡単な操作だけで、目覚まし音の鳴動を停止することができる。
【００４３】
ここで、アンテナ受信信号検出における信号レベルの関係が、例えば図４に示したものとする。前述した受信信号レベルの低下量の閾値△ＲＳＳ６、△ＲＳＳ７は、アンテナ６、７の位置やアンテナ周辺の関係から、掌で覆ったときの受信信号の落ち込みを検出するのに最適化された数字を定めるものとする。
【００４４】
図４の例では
△ＲＳＳ６＞ＲＳＳ＿Ｓ６−ＲＳＳ＿６      ・・・（３）
△ＲＳＳ７＜ＲＳＳ＿Ｓ７−ＲＳＳ＿７      ・・・（４）
であり、（３）式に示すように、アンテナ６の受信信号レベルの低下量は目覚まし音鳴動開始時点と比較すると閾値△ＲＳＳ６より大きくなく、あまり低下していないが、（４）式に示すように、アンテナ７の受信信号レベルの低下量が目覚まし音鳴動開始時点と比較すると閾値△ＲＳＳ７より大きく（２）式を満足する。これにより、電話制御部８は折り畳み型携帯電話機１が閉状態の場合、目覚まし音の鳴動を聞いた所有者が、折り畳み型携帯電話機１を手で持って掌で覆ったものと判断し、図３のステップＳ３６のＮＯ、ステップＳ３７のＹＥＳと進んでステップＳ３１０で目覚まし音の鳴動を停止する。
【００４５】
このように、本実施の形態によれば、折り畳み型携帯電話機１が閉状態の場合、押しづらく、操作しづらいサイドキー１８を押下しなくても、折り畳み型携帯電話機１を手で持って掌で覆うことだけで目覚まし音の鳴動を停止することができる。また、目覚まし音が鳴動開始した時点で折り畳み型携帯電話機１が開状態の場合は、サイドキー１８の押下、又は閉状態とすることにより目覚まし音の鳴動を停止することができる。
【００４６】
次に、本発明の第２の実施の形態について説明する。本実施の形態は、第１の実施の形態と同様にして目覚まし音鳴動停止処理を実施した後、第１の実施の形態とは異なり、目覚まし音の鳴動を停止したことを通知するためのプリセット音声データを、例えば図１の電話制御部８が、予め格納されているメモリ１２から読み出し、これをベースバンド処理部９を通してスピーカ２に供給し、スピーカ２から音声出力するものである。これにより、本実施の形態によれば、携帯電話使用者は、確実に受信信号レベルの低下検出が行われて、目覚まし音が停止したことを確認することができる。
【００４７】
なお、本発明は以上の実施の形態に限定されるものではなく、例えば、開閉検出手段１３として磁気を利用しているが、その他の検出手段（例えば、開閉によりオン／オフするリミットスイッチ等）を用いてもよい。また、図３のステップＳ３８では、サイドキー１８が押されたかどうか判定しているが、このときには、携帯電話機が開状態とされて下側筐体部１０２のキー入力部４が見えているので、ステップＳ３８では、サイドキー１８ではなく、キー入力部４内のどれか一つのキー入力がなされたかを判定するようにしてもよい。
【００４８】
また、開状態のときにも、閉状態と同様に、目覚まし音の鳴動開始時とその後の時点のアンテナ６とアンテナ７の受信信号レベルをモニタ及び比較して、その比較結果により鳴動を停止するようにしてもよい。更に、アンテナの数は１つでもよいし、３つ以上でもよい。また、上記の実施の形態では、基地局から定期的に送信されている一定振幅の信号を受信し、ベースバンド処理した受信信号レベルをモニタ及び比較するようにしているが、ベースバンド処理する前の受信信号レベル（又は受信電界強度）をモニタ及び比較するようにしてもよいことは勿論である。
【００４９】
更にまた、以上の実施の形態では、上側筐体部と下側筐体部の各内側面同士が各一側端部を中心として、内側面に平行な面に直交する面上を回動されて互いに密接対向する閉状態か互いに離間する開状態とされる折り畳み型携帯電話機を例にとって説明したが、本発明はこれに限定されるものではなく、例えば上側筐体部と下側筐体部とが支点部で回動自在に結合され、内側面に平行な水平面上を支点部を中心に回動されて互いに密接対向する閉状態か互いに離間する開状態とされる所謂リボルバー型の携帯電話機、上側筐体部と下側筐体部とが互いに内側面に平行な水平面上をスライドされて互いに密接対向する閉状態か互いに離間する開状態とされる所謂スライド型携帯電話機、折り畳み型及びリボルバー型とを組み合わせた２軸型携帯電話機にも適用可能である。なお、上記の折り畳み型、リボルバー型、スライド型及び２軸型を総称して、本明細書では開閉型というものとする。
【００５０】
更には、携帯電話機に限らず、目覚し機能及び通信機能を持つ折り畳み型のノートパソコンなどの折り畳み型携帯情報機器にも、本発明は原理的に適用可能である。
【図面の簡単な説明】
【００５１】
【図１】本発明の一実施の形態のブロック図である。
【図２】本発明の一実施の形態の外観図である。
【図３】本発明の一実施の形態のアンテナ受信信号検出による目覚まし鳴動開始及び停止処理のフローチャートである。
【図４】本発明の一実施の形態のアンテナ受信信号検出における信号レベルの関係図である。
【符号の説明】
【００５２】
１  折り畳み型携帯電話機
２  スピーカ
３  第一表示部
４  キー入力部
５  マイク
６  アンテナ
７  アンテナ
８  電話制御部
９  ベースバンド処理部
１０  ＲＦ処理部
１１  アンテナ切り替え部
１２  メモリ
１３  開閉検出部
１４  時計部
１５  バッテリ
１６  第二表示部
１７  磁石
１８  サイドキー
１０１  上側筐体
１０２  下側筐体
１０４  ヒンジ部
【図１】
2006194820.tif 000003
【図２】
2006194820.tif 000004
【図３】
2006194820.tif 000005
【図４】
2006194820.tif 000006